(57)【要約】【課題】風上側の正イオン発生部で発生した正イオンが風下側の負イオン発生部で発生した負イオンで中和されることを抑制する。【解決手段】イオン発生装置１０は、筺体１２と、筺体１２の表面（以下「イオン発生面」という）上に配置される正イオン発生部１３および負イオン発生部１４とを備える。イオン発生面は、平面部分と、平面部分よりも内側に窪んだ凹部分とを含む。正イオン発生部１３は、正イオンを発生する放電部位１７を含む。放電部位１７は、イオン発生面の平面部分に配置される。負イオン発生部１４は、負イオンを発生する針状電極２１を含む。針状電極２１は、イオン発生面の凹部分に配置される。針状電極２１の針先は、凹部分内に位置する。すなわち、針状電極２１の針先は、針状電極２１の突出方向において、放電部位１７よりも針状電極２１の根元側に位置する。【選択図】図３
2014017146.tif 000002
【特許請求の範囲】
【請求項１】
第１の表面を有する筺体と、
前記第１の表面に配置され、イオンを発生する放電部を含む第１イオン発生部と、
前記第１の表面に配置され、前記放電部が発生するイオンの極性と逆の極性のイオンを発生する針状電極を含む第２イオン発生部とを備え、
前記針状電極の針先は、前記針状電極の突出方向において、前記放電部よりも前記針状電極の根元側に位置する、イオン発生装置。
【請求項２】
前記放電部は、沿面放電電極である、請求項１に記載のイオン発生装置。
【請求項３】
前記第１の表面は、凹部分を含み、
前記沿面放電電極は、前記第１の表面の前記凹部分以外の部分に配置され、
前記針状電極は、前記第１の表面の前記凹部分に配置され、
前記針状電極の針先は、前記凹部分内に位置する、請求項２に記載のイオン発生装置。
【請求項４】
前記第１の表面は、凸部分を含み、
前記沿面放電電極は、前記第１の表面の前記凸部分に配置され、
前記針状電極は、前記第１の表面の前記凸部分以外の部分に配置され、
前記針状電極の針先は、前記針状電極の突出方向において、前記凸部分よりも前記針状電極の根元側に位置する、請求項２に記載のイオン発生装置。
【請求項５】
前記放電部は、針状電極であり、
前記第２イオン発生部の針状電極の長さは、前記第１イオン発生部の針状電極の長さよりも短い、請求項１に記載のイオン発生装置。
【請求項６】
前記第１イオン発生部が発生するイオンは、Ｈ＋（Ｈ２Ｏ）ｍ（ｍは任意の自然数）であり、
前記第２イオン発生部が発生するイオンは、Ｏ２−（Ｈ２Ｏ）ｎ（ｎは零または任意の自然数）である、請求項１〜５のいずれかに記載のイオン発生装置。
【請求項７】
請求項１〜６のいずれかに記載のイオン発生装置を備えた電気機器。
【請求項８】
送風用のダクトと、
前記ダクトの内面に配置され、イオンを発生する放電部を含む第１イオン発生部と、
前記ダクトの内面に配置され、前記放電部が発生するイオンの極性と逆の極性のイオンを発生する針状電極を含む第２イオン発生部とを備え、
前記針状電極の針先は、前記針状電極の突出方向において、前記放電部よりも前記針状電極の根元側に位置する、電気機器。
【請求項９】
前記放電部は、針状電極であり、
前記第２イオン発生部の針状電極の長さは、前記第１イオン発生部の針状電極の長さよりも短い、請求項８に記載の電気機器。
【発明の詳細な説明】
【技術分野】
【０００１】
本発明は、正イオンおよび負イオンを発生するイオン発生装置および電気機器に関する。
【背景技術】
【０００２】
特開２００４−３６３０８８号公報（特許文献１）には、正イオンを発生する正イオン発生部と、負イオンを発生する負イオン発生部とを備えるイオン発生装置が開示されている。このイオン発生装置においては、正イオン発生部と負イオン発生部とが、基材の同一平面上に所定距離を隔てて配置されている。
【先行技術文献】
【特許文献】
【０００３】
【特許文献１】特開２００４−３６３０８８号公報
【発明の概要】
【発明が解決しようとする課題】
【０００４】
特許文献１に開示されたイオン発生装置をたとえば狭い風路内に配置しようとした場合、一方のイオン発生部を風上側、他方のイオン発生部を風下側に配置することが想定される。しかしながら、このような配置では、風上側のイオン発生部で発生したイオンが風下側のイオン発生部で発生したイオンで中和されてしまうおそれがある。
【０００５】
本発明は、上述した課題を解決するためになされたものであって、その目的は、正イオン発生部と負イオン発生部とを備える構成において、一方のイオン発生部を風上側、他方のイオン発生部を風下側に配置しても、風上側のイオン発生部で発生したイオンが風下側のイオン発生部で発生したイオンで中和されることを抑制することである。
【課題を解決するための手段】
【０００６】
この発明に係るイオン発生装置は、第１の表面を有する筺体と、第１の表面に配置され、イオンを発生する放電部を含む第１イオン発生部と、第１の表面に配置され、放電部が発生するイオンの極性と逆の極性のイオンを発生する針状電極を含む第２イオン発生部とを備える。針状電極の針先は、針状電極の突出方向において、放電部よりも針状電極の根元側に位置する。
【０００７】
好ましくは、放電部は、沿面放電電極である。
好ましくは、第１の表面は、凹部分を含む。沿面放電電極は、第１の表面の凹部分以外の部分に配置される。針状電極は、第１の表面の凹部分に配置される。針状電極の針先は、凹部分内に位置する。
【０００８】
好ましくは、第１の表面は、凸部分を含む。沿面放電電極は、第１の表面の凸部分に配置される。針状電極は、第１の表面の凸部分以外の部分に配置される。針状電極の針先は、針状電極の突出方向において、凸部分よりも針状電極の根元側に位置する。
【０００９】
好ましくは、放電部は、針状電極である。第２イオン発生部の針状電極の長さは、第１イオン発生部の針状電極の長さよりも短い。
【００１０】
好ましくは、第１イオン発生部が発生するイオンは、Ｈ＋（Ｈ２Ｏ）ｍ（ｍは任意の自然数）である。第２イオン発生部が発生するイオンは、Ｏ２−（Ｈ２Ｏ）ｎ（ｎは零または任意の自然数）である。
【００１１】
本発明の別の局面に係る電気機器は、上記のイオン発生装置を備えた電気機器である。
本発明の別の局面に係る電気機器は、送風用のダクトと、ダクトの内面に配置され、イオンを発生する放電部を含む第１イオン発生部と、ダクトの内面に配置され、放電部が発生するイオンの極性と逆の極性のイオンを発生する針状電極を含む第２イオン発生部とを備える。針状電極の針先は、針状電極の突出方向において、放電部よりも針状電極の根元側に位置する。
【００１２】
好ましくは、放電部は、針状電極である。第２イオン発生部の針状電極の長さは、第１イオン発生部の針状電極の長さよりも短い。
【発明の効果】
【００１３】
本発明によれば、正イオン発生部と負イオン発生部とを備える構成において、一方のイオン発生部を風上側、他方のイオン発生部を風下側に配置しても、風上側のイオン発生部で発生したイオンが風下側のイオン発生部で発生したイオンで中和されることを抑制することができる。
【図面の簡単な説明】
【００１４】
【図１】イオン発生装置を備えた空気清浄機の外観図である。
【図２】図１のＢ−Ｂ断面を示す図である。
【図３】イオン発生装置の斜視図（その１）である。
【図４】イオン発生装置の内部構造を示す図（その１）である。
【図５】イオン発生装置で発生したイオンの移動の様子を示す図（その１）である。
【図６】イオン発生装置の斜視図（その２）である。
【図７】イオン発生装置の内部構造を示す図（その２）である。
【図８】イオン発生装置で発生したイオンの移動の様子を示す図（その２）である。
【図９】イオン発生装置の斜視図（その３）である。
【図１０】イオン発生装置の斜視図（その４）である。
【図１１】空気清浄機の変形例を示す図（その１）である。
【図１２】空気清浄機の変形例を示す図（その２）である。
【発明を実施するための形態】
【００１５】
以下、図面を参照しつつ、本発明の実施の形態は説明される。以下の説明では、同一の部品には同一の符号が付されている。それらの名称および機能も同じである。したがってそれらについての詳細な説明は繰り返されない。
【００１６】
図１は、本実施の形態に係るイオン発生装置を備えた電気機器の一例である空気清浄機１の外観を示す図である。なお、本実施の形態に係るイオン発生装置は、空気清浄機以外に、イオン発生機、エアコンディショナ（車両搭載用を含む）、換気装置、冷蔵庫、洗濯機、掃除機、乾燥機、加湿機、除湿機、ヘアドライヤー、セラミックファンヒータ、扇風機等の電気機器に備えられていてもよい。
【００１７】
図１に示すように、空気清浄機１には、正面から視て（図１の矢印Ａの方向から視て）中央上部に第１吹出口２が設けられる。空気清浄機１の背面には、吸込口（図２参照）が設けられる。空気清浄機１の内部には、電力の供給を受けて作動する、送風装置とイオン発生装置（図２参照）とが設けられる。空気清浄機１の作動時においては、送風装置により吸込口から取り込まれた空気は、イオン発生装置で発生したイオンとともに、第１吹出口２から吹き出される。
【００１８】
図２は、図１の空気清浄機１のＢ−Ｂ断面を示す図である。図２に示すように、空気清浄機１は、筺体３と、送風装置５と、イオン発生装置１０と、送風用のダクト１１とを含む。送風装置５と、イオン発生装置１０と、ダクト１１とは、筺体３の内部の所定の位置に設けられる。
【００１９】
筺体３の上面は、背面側に傾斜して形成される。筺体３の上面には、第２吹出口４が設けられる。筺体３の背面の中央よりも下側には、吸込口６が形成される。
【００２０】
吸込口６には、樹脂製の格子状のグリル７が設けられる。グリル７の内側には網目状の薄いフィルタ８が貼り付けられている。フィルタ８の奥（送風装置５側）には、送風装置５に異物やユーザの指が入り込まないようにファンガード９が設けられる。
【００２１】
送風装置５は、筺体３内の下側に設けられ、吸込口６から吸い込まれた空気をダクト１１内に送る。送風装置５は、たとえば、クロスフローファンであるが、特にこれに限定されるものではない。
【００２２】
ダクト１１は、筺体３の内部に上下方向に沿って設けられる。ダクト１１の下端の開口部は、吸込口６に対向して設けられる。また、ダクト１１の下端の開口部には、送風装置５が設けられる。ダクト１１の上端は、第１吹出口２および第２吹出口４の各々に接続される。
【００２３】
イオン発生装置１０は、図２の破線枠に示すように、ダクト１１の上端と下端との間の中央部に設けられる。イオン発生装置１０は、直方形状の筺体１２と、正イオン発生部１３と、負イオン発生部１４とを含む。正イオン発生部１３と、負イオン発生部１４とは、筺体１２の複数の表面のうちのいずれか一つの表面（以下「イオン発生面」という）に設けられる。なお、筺体１２は、正イオン発生部１３と負イオン発生部１４との相対的な位置関係を規制できればよく、特に直方形状に限定されるものではない。
【００２４】
ダクト１１の中央部にはイオン発生装置１０を取り付けるための開口部が形成される。イオン発生装置１０は、ダクト１１の開口部を塞ぐように取り付けられる。このとき、筺体１２のイオン発生面がダクト１１の内壁面と一体になるようにイオン発生装置１０がダクト１１に取り付けられる。イオン発生装置１０がダクト１１に取り付けられた状態である場合には、正イオン発生部１３の位置は、負イオン発生部１４の位置よりも風上側（ダクト１１内を流れる空気の流れの上流側）の位置になる。
【００２５】
図２の白抜き矢印に示すように、送風装置５が作動することによって吸込口６から吸い込まれた空気は、送風装置５を経由してダクト１１の下端に送られる。ダクト１１の下端に送られた空気は、ダクト１１内のイオン発生装置１０で発生したイオンとともにダクト１１の上端に向けて流通する。ダクト１１の上端に流通した空気とイオンとは、第１吹出口２から空気清浄機１の正面に向けて放出されるとともに、第２吹出口４から空気清浄機１の斜め後ろに向けて放出される。
【００２６】
イオン発生装置１０の正イオン発生部１３には、正電圧が印加された結果、沿面放電により空気中の水分が電離されてＨ＋（Ｈ２Ｏ）ｍ（ｍは自然数）（以下、単に「正イオン」という）が発生する。一方、負イオン発生部１４には、負電圧が印加された結果、放電によりＯ２−（Ｈ２Ｏ）ｎ（ｎは零または自然数）（以下、単に「負イオン」という）が発生する。
【００２７】
送風装置５が作動すると、正イオン発生部１３で発生した正イオンおよび負イオン発生部１４で発生した負イオンは、ダクト１１内を流れる空気とともに第１吹出口２または第２吹出口４から空気清浄機１の外部に放出される。
【００２８】
図３は、イオン発生装置１０の斜視図である。図３において、矢印Ｘは、イオン発生装置１０がダクト１１に取り付けられた状態における空気の流れる方向を示す。矢印Ｙは、負イオン発生部１４の針状電極２１がイオン発生面から突出する方向を示す。以下の説明では、矢印Ｘが示す方向を単に「Ｘ方向」、矢印Ｙが示す方向を単に「Ｙ方向」とも記載する。
【００２９】
筺体１２のイオン発生面は、平面部分と、平面部分よりも内側に窪んだ凹部分とを含む。凹部分は、イオン発生面の風下側中央部に形成される。
【００３０】
正イオン発生部１３は、筺体１２のイオン発生面の平面部分の風上側中央に配置される。正イオン発生部１３は、第１誘電体１５と、放電電極１６とを含む。第１誘電体１５は、板形状に形成されるセラミック等の絶縁体である。放電電極１６は、正電圧が印加されることによって正イオンを発生する電極である。放電電極１６は、たとえば、第１誘電体の上面に印刷される印刷電極であるが、特に印刷電極に限定されるものではない。
【００３１】
放電電極１６は、たとえば、全体として長方形の形状を有するように形成される。なお、図では、放電電極１６の長方形状の長手方向が空気の流れる方向に対して直交しているが、放電電極１６の長方形状の長手方向が空気の流れる方向に対して平行になるようにしてもよい。
【００３２】
放電電極１６は、尖鋭形状を有する複数の放電部位１７と、複数の放電部位１７間を接続する導電部位１８とを含む。なお、放電部位１７や導電部位１８の形状、数、配置パターンは図３に示すものに特に限定されるものではない。
【００３３】
放電電極１６に正電圧が印加されると、複数の放電部位１７の尖鋭形状の先端において特に多くの正イオンが発生する。放電部位１７で発生した正イオンは、空気とともにＸ方向に流通する。
【００３４】
負イオン発生部１４は、Ｉ字状の針状電極２１を含む。針状電極２１は、筺体１２のイオン発生面の凹部分に配置され、凹部分からＹ方向に向けて突出する。針状電極２１の針先は、凹部分内に位置する。すなわち、針状電極２１の針先は、Ｙ方向（針状電極２１の突出方向）において、放電部位１７よりも針状電極２１の根元側に位置する。
【００３５】
図４は、イオン発生装置１０の内部構造を示す図である。正イオン発生部１３は、上述した第１誘電体１５および放電電極１６に加えて、第２誘電体１９と、誘導電極２０とをさらに含む。第２誘電体１９は、セラミック等の絶縁体を用いた第１誘電体１５と同サイズの板形状に形成される。誘導電極２０は、たとえば、第２誘電体１９の上面に印刷される印刷電極であるが、特に印刷電極に限定されるものではない。図４に示すように、正イオン発生部１３は、放電電極１６と、第１誘電体１５と、誘導電極２０と、第２誘電体１９とが積層されて形成される。
【００３６】
イオン発生装置１０が空気清浄機１に取り付けられた状態では、誘導電極２０はグランドレベルの部位に接続され、放電電極１６は正電圧（グランドレベルに対してたとえばプラス３ｋＶ程度の電位）を発生する正電圧発生部に接続される。放電電極１６に正電圧が印加されると、沿面放電により放電部位１７において正イオンが発生する。
【００３７】
負イオン発生部１４は、針状電極２１に加えて対向電極２３をさらに含む。イオン発生装置１０が空気清浄機１に取り付けられた状態では、対向電極２３はグランドレベルの部位に接続され、針状電極２１は負電圧（グランドレベルに対してたとえばマイナス３ｋＶ程度の電位）を発生する負電圧発生部に接続される。針状電極２１に負電圧が印加されると、放電により針状電極２１の針先において負イオンが発生する。
【００３８】
図５は、イオン発生装置１０で発生したイオンの移動の様子を示す図である。放電部位１７で発生した正イオンは、同じ極性の電位を有する導電部位１８から離れる方向（すなわちＹ方向）に作用する反発力を導電部位１８から受けつつ、ダクト１１内を流れる空気によってＸ方向に流される。そのため、各放電部位１７で発生した正イオンの多くは、図５に示す矢印γの方向に移動し、図５に示す領域α１を移動することになる。この領域α１に負イオンが存在すると、正イオンが負イオンで中和されてしまうおそれがある。
【００３９】
そこで、本実施の形態においては、イオン発生面に凹部分を設け、この凹部分内に負イオンを発生する針状電極２１の針先が位置する。すなわち、負イオンが発生する針状電極２１の針先は、Ｙ方向において、正イオンが発生する放電部位１７よりも針状電極２１の根元側に配置される。このようにすると、負イオンが流通する領域β１が、正イオンが流通する領域α１と重なり難くなる。そのため、正イオンが負イオンで中和される割合を低減することができる。
【００４０】
以上のようにして、本実施の形態に係るイオン発生装置１０によると、正イオンを発生する放電部位１７が筺体１２のイオン発生面の風上側平面部分に配置され、負イオンを発生する針状電極２１の針先が筺体１２のイオン発生面の風下側凹部分内に配置される。これにより、負イオンの流通領域が正イオンの流通領域と重なり難くなるので、正イオンが負イオンで中和されることを抑制する（中和される割合を低減する）ことができる。
【００４１】
なお、本実施の形態では、針状電極２１の形状をＩ字状とする例を説明したが、針状電極２１の形状は他の形状（たとえばＬ字状）であってもよい。どのような形状であっても、負イオンを発生する針状電極の針先を、Ｙ方向において、正イオンを発生する放電部位１７よりも針状電極の根元側に位置するように配置するようにすればよい。これにより、正イオンが負イオンで中和され難くすることができる。
【００４２】
また、本実施の形態では、風上側で正イオンを、風下側で負イオンをそれぞれ発生させたが、逆に、風上側で負イオンを、風下側で正イオンをそれぞれ発生させるようにしてもよい。
［イオン発生装置の変形例１］
上述の実施の形態で説明したイオン発生装置１０は、正イオンを発生する電極を印刷電極とし、負イオンを発生する電極を針状電極とした。これに対し、正イオンを発生する電極および負イオンを発生する電極を双方とも針状電極としてもよい。
【００４３】
図６は、本変形例によるイオン発生装置１０Ａの斜視図である。イオン発生装置１０Ａは、筺体１２Ａと、正イオン発生部１３Ａと、負イオン発生部１４Ａとを含む。
【００４４】
筺体１２Ａのイオン発生面は、全体的に平面状に形成される。すなわち、上述の実施の形態による筺体１２のような凹部分は有していない。
【００４５】
正イオン発生部１３Ａは、筺体１２Ａのイオン発生面の風上側中央から突出するＩ字状の針状電極１７Ａを含む。一方、負イオン発生部１４Ａは、筺体１２Ａのイオン発生面の風下側中央から突出するＩ字状の針状電極２１Ａを含む。針状電極２１Ａの長さは、針状電極１７Ａの長さよりも短い。このようにすると、針状電極２１Ａの針先は、Ｙ方向において、針状電極１７Ａの針先よりも針状電極２１Ａの根元側に位置することになる。
【００４６】
図７は、イオン発生装置１０Ａの内部構造を示す図である。正イオン発生部１３Ａは、上述した針状電極１７Ａに加えて、誘導電極２０Ａをさらに含む。針状電極１７Ａに正電圧が印加されると、放電により針状電極１７Ａの針先において正イオンが発生する。
【００４７】
負イオン発生部１４Ａは、針状電極２１Ａに加えて対向電極２３をさらに含む。針状電極２１Ａに負電圧が印加されると、放電により針状電極２１Ａの針先において負イオンが発生する。
【００４８】
図８は、イオン発生装置１０Ａで発生したイオンの移動の様子を示す図である。針状電極１７Ａの針先で発生した正イオンは、イオン風によって針状電極１７Ａの針先方向（すなわちＹ方向）に移動しつつ、ダクト１１内を流れる空気によってＸ方向に流される。そのため、針状電極１７Ａの針先で発生した正イオンの多くは、図８に示す領域α２を移動することになる。
【００４９】
一方、針状電極２１Ａの針先で発生した負イオンも、イオン風によって針先方向（すなわちＹ方向）に移動しつつ、ダクト１１内を流れる空気によってＸ方向に流される。
【００５０】
しかしながら、本変形例においては、針状電極２１Ａの長さが、針状電極１７Ａの長さよりも短い。そのため、針状電極２１Ａの針先が、針状電極１７Ａの針先よりもイオン発生面側（針状電極２１Ａの根元側）に配置される。このようにすることで、負イオンが流通する領域β２が、正イオンが流通する領域α２と重なり難くなる。そのため、上述の実施の形態と同様、正イオンが負イオンで中和され難くすることができる。
［イオン発生装置の変形例２］
上述の変形例２によるイオン発生装置１０Ａでは、正イオンを発生する針状電極１７Ａおよび負イオンを発生する針状電極２１Ａを、平面状のイオン発生面に配置した。これに対し、イオン発生面の風下側に凹部分を設け、正イオンを発生する針状電極をイオン発生面の平面部分に配置し、負イオンを発生する針状電極をイオン発生面の凹部分に配置するようにしてもよい。
【００５１】
図９は、本変形例によるイオン発生装置１０Ｂの斜視図である。イオン発生装置１０Ｂは、筺体１２と、正イオン発生部１３Ｂと、負イオン発生部１４とを含む。
【００５２】
筺体１２および負イオン発生部１４は、上述の図３等に示したものと同じである。すなわち、筺体１２は風下側中央に凹部分を有し、負イオン発生部１４の針状電極２１は凹部分に配置される。そして、針状電極２１の針先は凹部分内に位置する。
【００５３】
正イオン発生部１３Ｂは、筺体１２のイオン発生面の風上側中央から突出するＩ字状の針状電極１７Ｂを含む。なお、針状電極１７Ｂの長さは、針状電極２１の長さに比べて長くても短くてもよい。
【００５４】
このような構成を有するイオン発生装置１０Ｂにおいても、上述の実施の形態と同様、針状電極２１の針先が、Ｙ方向において、針状電極１７Ｂの針先よりも針状電極２１の根元側に位置することになる。したがって、上述の実施の形態と同様、正イオンが負イオンで中和される割合を低減することができる。
［イオン発生装置の変形例３］
上述の実施の形態で説明したイオン発生装置１０は、正イオンを発生する印刷電極をイオン発生面の平面部分に配置し、負イオンを発生する針状電極をイオン発生面の凹部分に配置した。これに対し、イオン発生面の風下側に凸部分を設け、正イオンを発生する印刷電極をイオン発生面の凸部分に配置し、負イオンを発生する針状電極をイオン発生面の平面部分に配置するようにしてもよい。
【００５５】
図１０は、本変形例によるイオン発生装置１０Ｃの斜視図である。イオン発生装置１０Ｃは、筺体１２Ｃと、正イオン発生部１３Ｃと、負イオン発生部１４Ａとを含む。
【００５６】
筺体１２Ｃのイオン発生面は、平面部分と、平面部分よりも外側に突出する凸部分とを含む。凸部分は、イオン発生面の風上側中央部に形成される。
【００５７】
負イオン発生部１４Ａは、上述のイオン発生装置の変形例２で説明したものと同じである。すなわち、負イオン発生部１４Ａは、筺体１２Ｃのイオン発生面の風下側中央の平面部分からＹ方向に突出するＩ字状の針状電極２１Ａを含む。ただし、本変形例においては、針状電極２１Ａの針先が、Ｙ方向において、イオン発生面の凸部分よりも針状電極２１Ａの根元側に位置する。
【００５８】
正イオン発生部１３Ｃは、イオン発生面の凸部分に配置される放電部位１７を含んで構成される。その他の構成については、上述の実施の形態で説明した正イオン発生部１３と同じであるため、ここでの詳細な説明は繰り返さない。
【００５９】
このような構成を有するイオン発生装置１０Ｃにおいても、上述の実施の形態と同様、針状電極２１Ａの針先が、Ｙ方向において、放電部位１７よりも針状電極２１Ａの根元側に位置することになる。したがって、上述の実施の形態と同様、正イオンが負イオンで中和され難くすることができる。
［空気清浄機（電気機器）の変形例］
上述の説明では、正イオン発生部および負イオン発生部を含むイオン発生装置をダクトに取り付ける場合について説明した。これに対し、正イオン発生部および負イオン発生部をダクトに一体的に形成するようにしてもよい。
【００６０】
たとえば、図１１に示す空気清浄機１Ａは、上述の実施の形態で説明した正イオン発生部１３および負イオン発生部１４をダクト１１の内壁面に直接配置したものである。また、たとえば、図１２に示す空気清浄機１Ｂは、上述のイオン発生装置の変形例２で説明した正イオン発生部１３Ａおよび負イオン発生部１４Ａをダクト１１の中央部の内面に直接配置したものである。このような構成を有する空気清浄機（電気機器）においても、正イオンが負イオンで中和され難くすることができる。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１  空気清浄機、２  第１吹出口、３  筺体、４  第２吹出口、５  送風装置、６  吸込口、７  グリル、８  フィルタ、９  ファンガード、１０，１０Ａ，１０Ｂ，１０Ｃ  イオン発生装置、１１  ダクト、１３，１３Ａ，１３Ｂ，１３Ｃ  正イオン発生部、１４，１４Ａ  負イオン発生部、１５  第１誘電体、１６  放電電極、１７  放電部位、１７Ａ，１７Ｂ，２１，２１Ａ  針状電極、１８  導電部位、１９  第２誘電体、２０，２０Ａ  誘導電極、２３  対向電極。
【図１】
2014017146.tif 000003
【図２】
2014017146.tif 000004
【図３】
2014017146.tif 000005
【図４】
2014017146.tif 000006
【図５】
2014017146.tif 000007
【図６】
2014017146.tif 000008
【図７】
2014017146.tif 000009
【図８】
2014017146.tif 000010
【図９】
2014017146.tif 000011
【図１０】
2014017146.tif 000012
【図１１】
2014017146.tif 000013
【図１２】
2014017146.tif 000014